(57)【特許請求の範囲】
【請求項１】
ケイ素および／またはフッ素原子を含有するヒドロゲルからなるプラスチック成形品に、
ｐＨが４以下または８以上である、重量平均分子量が２００以上である重合体Ａの水溶液Ａを接触させ、前記プラスチック成形品の表面にポリマーコンプレックスの薄層Ａを形成し、
ついで、前記水溶液Ａとは異なる、重量平均分子量が２００以上である非イオン性水溶性重合体Ｂの水溶液Ｂを接触させ、前記薄層Ａの表面にポリマーコンプレックスの薄層Ｂを形成する、
表面処理プラスチック成形品の製造方法。
【請求項２】
含水率が１５％以上であるヒドロゲルからなるプラスチック成形品を用いる、請求項１に記載の表面処理プラスチック成形品の製造方法。
【請求項３】
酸素透過係数が５０×１０−１１（ｃｍ２／ｓｅｃ）［ｍｌＯ２／（ｍｌ・ｈＰａ）］以上であるヒドロゲルからなるプラスチック成形品を用いる、請求項２に記載の表面処理プラスチック成形品の製造方法。
【請求項４】
重量平均分子量が２００以上の重合体Ａとしてカルボキシル官能性重合体を用いる、請求項１に記載の表面処理プラスチック成形品の製造方法。
【請求項５】
カルボキシル官能性重合体としてポリ（メタ）アクリル酸、ポリイタコン酸、および、（メタ）アクリル酸、マレイン酸、イタコン酸または無水マレイン酸と反応性ビニルモノマーとの共重合体からなる群から選ばれる重合体またはこれら重合体の混合物を用いる、請求項４に記載の表面処理プラスチック成形品の製造方法。
【請求項６】
重量平均分子量が２００以上の重合体Ａとしてポリエチレンイミンを用いる、請求項１に記載の表面処理プラスチック成形品の製造方法。
【発明の詳細な説明】
【技術分野】
【０００１】
本発明は、表面処理プラスチック成形品の製造方法およびそれによって得られた表面処理プラスチック成形品に関し、詳しくはプラスチック成形品の特性に影響をおよぼすことなく、親水性（水濡れ性）や汚染性（脂質汚れ性）などに優れる表面処理プラスチック成形品に関するものであり、特に、コンタクトレンズや眼内レンズ、あるいはカテーテルや人工腎臓等の医療用具に好適である。
【背景技術】
【０００２】
近年数々の用途でプラスチック成形品が提案されている。中でもケイ素やフッ素を含有するプラスチック成形品は、酸素透過性が良好であることからコンタクトレンズに種々提案されている。
【０００３】
しかしながら、ケイ素やフッ素を含有するプラスチック成形品は水濡れ性が不十分であり、水濡れ性の向上が望まれている。特に、コンタクトレンズの表面を改質してレンズ特性やその装用感を向上させる目的で各種の方法が提案されている。例えば、特許文献１には、酸素雰囲気下でプラズマ処理を施してコンタクトレンズに水濡れ性を付与する方法が開示されている。また、特許文献２には、酸素ガスおよび／または炭酸ガス雰囲気下でプラズマ処理を施して含水性コンタクトレンズに水濡れ性を付与する方法が開示されている。
【０００４】
しかしながら、かかる従来技術は水濡れ性は向上するが酸素ガスによってプラスチック成形品の材質が劣化するという問題があった。さらには、その水濡れ性が洗浄や長期使用した場合に経時変化し疎水化するという大きな問題があった。
【先行技術文献】
【特許文献】
【０００５】
【特許文献１】米国特許第４２１４０１４号明細書
【特許文献２】特開平８−２２７００１号公報
【発明の概要】
【発明が解決しようとする課題】
【０００６】
本発明者らは、上記欠点を解決するため鋭意検討を重ね、プラスチック本来の物性を維持しつつ、表面の水濡れ性を改善しかつ経時変化の少ない表面処理プラスチック成形品の製造方法を見出し、本発明に至った。本発明の目的は、高い透明性と高い酸素透過性を有し、水濡れ性が良好でかつ、機械的特性にも優れた表年処理プラスチック成形品、特にコンタクトレンズ、カテーテル等の医療用具に好適な表面処理プラスチックの製造方法を提供することにある。
【課題を解決するための手段】
【０００７】
上記課題を解決するため、本発明は以下の構成からなる。
（１）プラスチック成形品に重量平均分子量が２００以上である重合体Ａの水溶液Ａを接触させ、前記プラスチック成形品の表面にポリマーコンプレックスの薄層Ａを形成する表面処理プラスチック成形品の製造方法であって、前記水溶液ＡのｐＨが４以下または８以上であることを特徴とする、表面処理プラスチック成形品の製造方法。
（２）表面にポリマーコンプレックスの薄層Ａを形成してなるプラスチック成形品に、前記水溶液Ａとは異なる、重量平均分子量が２００以上である重合体Ｂの水溶液Ｂを接触させ、前記薄層Ａの表面にポリマーコンプレックスの薄層Ｂを形成する、（１）に記載の表面処理プラスチック成形品の製造方法。
（３）ヒドロゲルからなるプラスチック成形品を用いる、（１）または（２）に記載の表面処理プラスチック成形品の製造方法。
（４）含水率が１５％以上であるヒドロゲルからなるプラスチック成形品を用いる、（３）に記載の表面処理プラスチック成形品の製造方法。
（５）ケイ素および／またはフッ素原子を含有するヒドロゲルからなるプラスチック成形品を用いる、（３）または（４）に記載の表面処理プラスチック成形品の製造方法。
（６）酸素透過係数が５０×１０−１１（ｃｍ２／ｓｅｃ）［ｍｌＯ２／（ｍｌ・ｈＰａ）］以上であるヒドロゲルからなるプラスチック成形品を用いる、（３）〜（５）のいずれかに記載の表面処理プラスチック成形品の製造方法。
（７）非含水高分子からなるプラスチック成形品を用いる、（１）または（２）に記載の表面処理プラスチック成形品の製造方法。
（８）水溶液ＡとしてｐＨ４以下の水溶液を用いる、（１）または（２）記載の表面処理プラスチック成形品の製造方法。
（９）重量平均分子量が２００以上の重合体Ａとしてカルボキシル官能性重合体を用いる、（１）または（２）に記載の表面処理プラスチック成形品の製造方法。
（１０）カルボキシル官能性重合体としてポリ（メタ）アクリル酸、ポリイタコン酸、および、（メタ）アクリル酸、マレイン酸、イタコン酸または無水マレイン酸と反応性ビニルモノマーとの共重合体からなる群から選ばれる重合体またはこれら重合体の混合物を用いる、（９）に記載の表面処理プラスチック成形品の製造方法。
（１１）水溶液ＡとしてｐＨ８以上の水溶液を用いる、（１）または（２）記載の表面処理プラスチック成形品の製造方法。
（１２）重量平均分子量が２００以上の重合体Ａとしてポリエチレンイミンを用いる、（１）または（２）に記載の表面処理プラスチック成形品の製造方法。
（１３）重量平均分子量が２００以上の重合体Ｂとして非イオン性水溶性重合体を用いる、（２）に記載の表面処理プラスチック成形品の製造方法。
（１４）非イオン性水溶性重合体としてポリアクリルアミド、ポリジメチルアクリルアミド、ポリビニルピロリドン、ポリエチレングリコール、ポリエチレンオキシドおよびポリビニルアルコールからなる群から選ばれる重合体またはこれら重合体の混合物を用いる、（１３）に記載の表面処理プラスチック成形品の製造方法。
（１５）プラスチック成形品、および、このプラスチック成形品の表面に形成された、そのプラスチック成形品を構成している重合体と重量平均分子量が２００以上である重合体Ａとで形成されたポリマーコンプレックスの薄層Ａを有している表面処理プラスチック成型品であって、前記重合体Ａがカルボキシル官能性重合体であることを特徴とする表面処理プラスチック成形品。
（１６）表面にポリマーコンプレックスの薄層Ａを形成してなるプラスチック成形品のその薄層Ａの上に、その薄層Ａを構成している重合体Ａと重量平均分子量が２００以上の重合体Ｂとで形成されたポリマーコンプレックスの薄層Ｂを有している、（１５）に記載の表面処理プラスチック成形品。
（１７）プラスチック成形品がヒドロゲルからなっている、（１５）または（１６）に記載の表面処理プラスチック成形品。
（１８）ヒドロゲルが含水率１５％以上である、（１７）に記載の表面処理プラスチック成形品。
（１９）ヒドロゲルがケイ素および／またはフッ素原子を含有する、（１７）または（１８）に記載の表面処理プラスチック成形品。
（２０）ヒドロゲルが、５０×１０−１１（ｃｍ２／ｓｅｃ）［ｍｌＯ２／（ｍｌ・ｈＰａ）］以上の酸素透過係数を有する、（１７）〜（１９）のいずれかに記載の表面処理プラスチック成形品。
（２１）カルボキシル官能性重合体がポリ（メタ）アクリル酸、ポリイタコン酸、および、（メタ）アクリル酸、マレイン酸、イタコン酸または無水マレイン酸と反応性ビニルモノマーとの共重合体からなる群から選ばれる重合体またはこれら重合体の混合物である、（１５）〜（２０）のいずれかに記載の表面処理プラスチック成形品。
（２２）１７２０ｃｍ−１バンド、１４０４〜１４４２ｃｍ−１バンドおよび１５５６ｃｍ−１バンドに赤外吸収スペクトルを有する、（１５）または（１６）に記載の表面処理プラスチック成形品。
（２３）重量平均分子量が２００以上である重合体Ｂが非イオン性水溶性重合体である、（１６）に記載の表面処理プラスチック成形品。
（２４）非イオン性水溶性重合体がポリアクリルアミド、ポリジメチルアクリルアミド、ポリビニルピロリドン、ポリエチレングリコール、ポリエチレンオキシドおよびポリビニルアルコールからなる群から選ばれる重合体またはこれら重合体の混合物である、（２３）に記載の表面処理プラスチック成形品。
（２５）（１５）〜（２４）のいずれかに記載の表面処理プラスチック成形品を有するコンタクトレンズ。
（２６）ケイ素および／またはフッ素原子を含有し、含水率が１５％以上であり、酸素透過係数が５０×１０−１１（ｃｍ２／ｓｅｃ）［ｍｌＯ２／（ｍｌ・ｈＰａ）］以上であるヒドロゲルからなるプラスチック成形品の表面に、そのプラスチック成形品を構成している重合体とポリ（メタ）アクリル酸とで形成されたポリマーコンプレックスの薄層Ａを形成してなるコンタクトレンズ。
（２７）ケイ素および／またはフッ素原子を含有し、含水率が１５％以上であり、酸素透過係数が５０×１０−１１（ｃｍ２／ｓｅｃ）［ｍｌＯ２／（ｍｌ・ｈＰａ）］以上であるヒドロゲルからなるプラスチック成形品の表面に、そのプラスチック成形品を構成している重合体とポリ（メタ）アクリル酸とで形成されたポリマーコンプレックスの薄層Ａを形成し、その薄層Ａの上に、ポリ（メタ）アクリル酸とポリアクリルアミドとで形成されたポリマーコンプレックスの薄層Ｂを形成してなるコンタクトレンズ。
【発明の効果】
【０００８】
本発明により、プラスチック成形品の機械的特性等諸性能を維持しつつ、その表面に経時変化の少ない優れた親水性を有するプラスチック成形品を得ることができる。特にプラスチック成形品が、コンタクトレンズ、眼内レンズ、プラスチックレンズなどの光学物品の場合、前記した優れた性能が発揮され優れた製品が得られる。
【図面の簡単な説明】
【０００９】
【図１】実施例８にかかる本発明のプラスチック成形品および比較例３のプラスチック成形品のフーリエ変換赤外スペクトルを全反射吸収測定法（ＦＴＩＲ−ＡＴＲ法（Ｇｅ／７５°））により測定した結果である。
【発明を実施するための形態】
【００１０】
本発明に用いるプラスチック成形品としては、後述する種々のモノマーのホモポリマー、これらのモノマーと他のモノマーとのコポリマー、ポリマーの主鎖および／または側鎖にケイ素を含有しているポリマー（例えばシロキサン結合やトリメチルシリル基などの有機シラン基を含有するポリマー）、あるいは炭素、フッ素結合を含有するポリマーを主成分としてなる成形品が挙げられる。
【００１１】
かかるポリマーを得るモノマーの具体例としては、メチルメタクリレート、２−ヒドロキシエチルメタクリレートのようなメタクリル酸（ヒドロキシ）アルキルエステル類、トリス（トリメチルシロキシ）シリルプロピル（メタ）アクリレートの様なシリコーン含有メタクリル酸エステル類、フッ素を含有するメタクリル酸エステル類、片末端や両末端に二重結合を持ったポリジメチルシロキサンなどが挙げられる。
【００１２】
共重合可能なモノマーとしては、（メタ）アクリル酸エステル系モノマー、芳香族ビニルモノマー、ヘテロ環ビニルモノマーなどの単官能モノマー、あるいは、２官能、３官能、４官能の（メタ）アクリレート、芳香族ジビニルモノマー、芳香族ジアリールモノマーなどの多官能モノマーなどが挙げられる。
【００１３】
単官能モノマーの具体例としては、メチル（メタ）アクリレート、エチル（メタ）アクリレートなどのアルキル（メタ）アクリレート類、（メタ）アクリル酸などのカルボン酸類、シクロヘキシル（メタ）アクリレートなどのシクロアルキル（メタ）アクリレート類、トリフルオロエチル（メタ）アクリレート、ヘキサフルオロイソプロピル（メタ）アクリレートなどのハロゲン化アルキル（メタ）アクリレート類、２ーヒドロキシエチル（メタ）アクリレート、２，３ージヒドロキシプロピル（メタ）アクリレートなどの水酸基を有するヒドロキシアルキル（メタ）アクリレート類、アクリルアミド、Ｎ，Ｎージメチルアクリルアミド、Ｎ，Ｎージエチルアクリルアミドなどのアクリルアミド類、トリス（トリメチルシロキシ）シリルプロピル（メタ）アクリレートやビス（トリメチルシトキシ）メチルシリルプロピル（メタ）アクリレートなどのシロキサニル基を有する（メタ）アクリル酸エステル類、スチレン、ビニルピリジンなどの芳香族ビニルモノマー類、トリス（トリメチルシロキシ）シリルスチレンなどのシロキサニル基を有するスチレン誘導体、ペンタフルオロスチレンのようなフッ素含有スチレン誘導体、Ｎービニルピロリドンなどのヘテロ環ビニルモノマー類が挙げられる。
【００１４】
２官能モノマーの具体例としては、エチレングリコールジ（メタ）アクリレート、ジエチレングリコールジ（メタ）アクリレート、ビスフェノールＡジ（メタ）アクリレート、エチレンオキシド付加ビスフェノールＡジ（メタ）アクリレートおよびそのウレタン変成体、プロピレングリコールジ（メタ）アクリレート、グリセロールジ（メタ）アクリレート、ネオペンチルグリコールジ（メタ）アクリレートなどが挙げられる。３官能性モノマーの具体例としては、トリメチロールプロパントリ（メタ）アクリレート、エチレンオキシド付加トリメチロールプロパントリ（メタ）アクリレートなどが挙げられる。４官能モノマーの具体例としては、テトラメチロールメタンテトラ（メタ）アクリレートなどが挙げられる。芳香族ジビニルモノマーの具体例としては、ジビニルベンゼンなどが、また、芳香族ジアリールモノマーの具体例としては、ジアリールフタレートなどが挙げられる。その他の多官能モノマーの具体例としては、ビスマレイミド、アリル（メタ）アクリレートなどが挙げられる。
【００１５】
これらのモノマーを共重合させる割合や使用するモノマーによって、本発明に用いるプラスチック成形品は、含水したヒドロゲルであっても良いし、非含水のゴム状のポリマー（エラストマー）であっても良いし、非含水ないしは低含水の硬いポリマーであっても良い。
【００１６】
本発明に用いるプラスチック成形品は、透明であっても不透明であっても良いが、ヒドロゲルやケイ素および／またはフッ素原子を含有するプラスチック成形品は、酸素透過性に優れることから光学材料などに適用することが好ましく、この場合は、透明性を付与したものが好ましい。
【００１７】
また、本発明に用いるプラスチック成形品を構成するポリマーにおいて、ヒドロゲルの場合には親水性モノマーと架橋剤の組み合わせや、疎水性モノマー、親水性モノマー及び架橋剤の組み合わせが好ましく用いられる。その例を挙げれば、２−ヒドロキシエチルメタクリレートとエチレングリコールジメタクリレートとの組み合わせや、２，３ージヒドロキシプロピル（メタ）アクリレート、メチルメタクリレートとジエチレングリコールジメタクリレートの組み合わせなどである。ケイ素および／またはフッ素原子を含有するヒドロゲルの場合には、トリス（トリメチルシロキシ）シリルプロピルメタクリレートなどのシロキサニル基含有メタクリル酸エステル類や両末端二重結合含有ポリジメチルシロキサン等のシリコーン成分、ヘキサフルオロイソプロピルメタクリレートのようなフッ素含有成分、Ｎ，Ｎ−ジメチルアクリルアミドやＮ−ビニルピロリドン等の親水性成分および架橋剤との組み合わせが用いられる。また、実質的に非含水の高分子がケイ素および／またはフッ素原子を含むポリマーの場合には、ケイ素やフッ素原子を含む成分の含有量は１００重量％であっても良いが、好ましくは５重量％以上、より好ましくは３０重量％以上含有されていることが、酸素透過性と機械的特性とのバランスを維持できる点で好ましい。
【００１８】
なお、重合方法しては公知の方法を使用することができる。さらに、本発明のプラスチック成形品は、紫外線吸収剤や色素、着色剤などを含んでも良い。
【００１９】
本発明に用いるプラスチック成形品を得る際には、重合をし易くするために過酸化物やアゾ化合物に代表される熱重合開始剤や、光重合開始剤を配合することが好ましい。熱重合を行う場合は、処望の反応温度に対して最適な分解特性を有するものを選択して使用する。一般的には１０時間半減期温度が４０〜１２０℃の過酸化物系開始剤およびアゾ系開始剤が好適である。光重合開始剤としては、カルボニル化合物、過酸化物、アゾ化合物、硫黄化合物、ハロゲン化合物および金属塩などが挙げられる。これらの重合開始剤は、単独または混合して用いられ、約１重量％までの量で使用される。
【００２０】
本発明に用いるプラスチック成形品を得る際は、重合溶媒を使用することができる。溶媒としては、有機系、無機系の各種溶媒が適用可能であり特に限定されないが例えば、水、メタノール、エタノール、プロパノール、２−プロパノール、ブタノール、tert−ブタノールなどの各種アルコール系溶剤、ベンゼン、トルエン、キシレンなどの各種芳香族炭化水素系溶剤、ヘキサン、ヘプタン、オクタン、デカン、石油エーテル、ケロシン、リグロイン、パラフィンなどの各種脂肪族炭化水素系溶剤、アセトン、メチルエチルケトン、メチルイソブチルケトンなどの各種ケトン系溶剤、酢酸エチル、酢酸ブチル、安息香酸メチル、フタル酸ジオクチルなどの各種エステル系溶剤、ジエチルエーテル、テトラヒドロフラン、ジオキサン、エチレングリコールジアルキルエーテル、ジエチレングリコールジアルキルエーテル、トリエチレングリコールジアルキルエーテル、テトラエチレングリコールジアルキルエーテル、ポリエチレングリコールジアルキルエーテルなどの各種グリコールエーテル系溶剤などが挙げられ、これらは単独あるいは混合して使用することができる。
【００２１】
本発明に用いるプラスチック成形品は、例えば、以下の方法により製造することができる。
【００２２】
すなわち、ポリマーを一旦、丸棒や板状などに成形しこれを切削加工などによって所望の形状に加工したり、また、モールド重合やスピンキャスト重合などの公知の手法を用いることができる。さらに、繊維やフィルムなどに成形する場合は、ポリマーを溶融もしくは溶媒などで溶解し、紡糸、押し出し成形することができる。一例として本発明に用いるプラスチック成形品をモールド重合法により得る場合について、次に説明する。前記モノマー組成物と重合開始剤のモノマー混合物を一定の形状を有する２枚１組のモールド間の空隙に充填する。そして、光重合あるいは熱重合によりモールドの形状に賦型する。モールドは、樹脂、ガラス、セラミックス、金属等で製作されているが、光重合の場合は光学的に透明な素材が用いられ、通常は樹脂またはガラスが使用される。プラスチック成形品を製造する場合には、多くの場合、２枚の対向するモールドにより空隙が形成されており、その空隙にモノマー混合物が充填されるが、モールドの形状やモノマー混合物の性状によってはプラスチック成形品に一定の厚みを与えかつ充填したモノマー混合物の液漏れを防止する目的を有するガスケットを併用しても良い。空隙にモノマー混合物を充填したモールドは、続いて紫外線のような活性光線を照射されるか、オーブンや液槽に入れて加熱されて重合される。光重合の後に熱重合したり、逆に熱重合後に光重合する両重合法を併用する方法も有り得る。光重合の場合は、例えば水銀ランプや捕虫灯を光源とする紫外線を多く含む光を短時間照射するのが一般的であり、通常は１時間以内である。熱重合を行う場合には、室温付近から徐々に昇温し、数時間ないし数十時間かけて６０〜２００℃の温度まで高めていく条件がプラスチック成形品の光学的な均一性、品位を保持し、かつ再現性を高めるために好適である。
【００２３】
本発明に用いるプラスチック成形品を重量平均分子量２００以上の重合体の酸および塩基等の水溶性重合体から選ばれる少なくとも１種の水溶液に浸漬するという単純な処理を施すことによって、プラスチック成形品の親水性（水濡れ性）を効果的に向上し、それを保持させることができる。重量平均分子量２００以上の重合体の水溶液に接触させ、処理することにより、プラスチック成形品の主鎖および／または側鎖の切断による親水性基の発現さらにはポリマーコンプレックス（ｐｏｌｙｍｅｒ  ｃｏｍｐｌｅｘ）の形成による親水性基の結合で水濡れ性を向上せしめることができる。ポリマーコンプレックスとは、高分子連鎖が相互作用力を介して集合して形成されるものである。相互作用力としては、静電的力（クーロン力）、水素結合力、疎水結合力、ファンデルワールス力、電化移動力がある。本発明においては、たとえばポリアクリル酸や無水マレイン酸−メチルビニルエーテルのような重合体と、プラスチック成形品中のポリジメチルアクリルアミドとの間に水素結合力や疎水結合力が作用してポリマーコンプレックスを形成していると考えられる。さらにポリエチレンオキシドのような非イオン性重合体との間にも同様の相互作用が働き、ポリマーコンプレックスを形成すると考えられる。
【００２４】
特に、酸や塩基によるプラスチック成形品の劣化を防止する点で重量平均分子量５００以上の重合体の酸および塩基が好ましく用いられる。さらに、ヒドロゲルからなるプラスチック成形品の処理にあたっては重量平均分子量１０００以上の重合体の酸や塩基が好ましく用いられる。
【００２５】
重量平均分子量５００以上の重合体水溶液の処理をすることにより、プラスチック成形品の内部までは重合体が浸透せず、プラスチック成形品の内部の主鎖および／または側鎖が切断されプラスチック成形品が劣化するおそれが低くなる。
【００２６】
また、親水性（水濡れ性）を効果的に向上させるとともに、さらにはその効果を長期間保持させるためには、ｐＨ４以下またはｐＨ８以上の重合体水溶液が好ましく用いられる。ｐＨ４を越え、ｐＨ８未満の重合体水溶液処理では、親水性（水濡れ性）を得るためには長時間を要し、十分な親水性が得られない場合がある。
【００２７】
さらに、処理時の重合体水溶液温度は通常１〜９９℃であり、被処理基材のＴｇ付近がより好適である。処理時間は通常１〜７２時間で十分な処理効果が得られる。ただし本発明はこれらの条件によって限定されるものではない。
【００２８】
本発明にあっては、２種の重合体水溶液を用い、第１の重合体水溶液Ａに浸漬、処理、洗浄後、第２の重合体水溶液Ｂに浸漬、処理を行うこともできる。これによって、表面のイオン性、非イオン性等の性質を適宜変更することが可能である。
【００２９】
本発明の表面処理プラスチック成形品の製造方法に用いる重量平均分子量２００以上の重合体の酸としては、−ＣＯＯＨ基、−ＳＯ3Ｈ基を有するポリマーなどがまた、塩基としては、−ＮＨ基、−ＮＨ2基を有するポリマーなどが挙げられる。特に、本発明においてはポリ（メタ）アクリル酸が好ましく用いられる。
【００３０】
特に、本発明においてはプラスチック成形品がヒドロゲルからなる場合、カルボキシル官能性重合体が好ましく用いられる。カルボキシル官能性重合体とは、分子内に−ＣＯＯＨ基を有する重合体である。中でも、ポリ（メタ）アクリル酸、ポリイタコン酸、および、（メタ）アクリル酸、マレイン酸、イタコン酸または無水マレイン酸と反応性ビニルモノマーとの共重合体からなる群から選ばれる重合体またはこれらの混合物を好適に用いることができる。
【００３１】
これらのカルボキシル官能性重合体の重量平均分子量は、５，０００以上であることが好ましく、さらには２０，０００以上であるとヒドロゲルの機械的性質に悪影響を与えることなく、表面の水濡れ性を向上させることができ、より好適である。このような高分子量のカルボキシル官能性重合体を用いることにより、ヒドロゲルを形成する親水性重合体と強固なポリマーコンプレックスを形成し、その効果をより長期間保持させることができる。
【００３２】
カルボキシル官能性重合体として、ポリマーコンプレックスの形成能、効果の長期間保持性、および高分子量の製品の入手容易性の点から、ポリアクリル酸、無水マレイン酸―ビニルモノマー交互共重合体を好適に用いることができる。
【００３３】
更にヒドロゲルのプラスチック成形品の二種の重合体水溶液による処理を行うにあたって、第１の重合体水溶液としてカルボキシル官能性重合体の水溶液を用いる場合には、第２の重合体水溶液として、非イオン性水溶性重合体を用いることが好ましく用いられる。非イオン性水溶性重合体とは、イオン性基を含有しない水溶性重合体であり、ポリアクリルアミド、ポリジメチルアクリルアミド、ポリビニルピロリドン、ポリエチレングリコール、ポリエチレンオキシド、ポリビニルアルコールおよびこれらの混合物が好ましく用いられる。これらの非イオン性重合体は、第１の水溶液への浸漬処理によって形成されたポリマーコンプレックスの薄層の上に、カルボキシル官能性重合体とのポリマーコンプレックスの薄層を形成し、表面の特性を変えることができる。
【００３４】
本発明の表面処理プラスチック成形品の好ましい実施態様としては、レンズ、繊維、フィルムなどが挙げられる。特にその良好な光学的特性、高い酸素透過率、良好な水濡れ性および機械的特性の観点から、コンタクトレンズ、眼内レンズ、プラスチックレンズなどの光学物品に好適に使用されるとともに、表面の水濡れ性およびそれにともなう易滑性のためにカテーテルや人工腎臓等の医療用具にも好適に使用される。
【００３５】
また、本発明の光学物品をコンタクトレンズ等角膜に接する光学物品に使用する場合、光学物品はヒドロゲルであることが好ましく、さらに含水率は１５％以上であることが好ましい。こうすることにより角膜に接する光学部品に要求される眼内でのレンズの動きが滑らかになり、より安全に装用することができる。
【実施例】
【００３６】
以下に、実施例を挙げて本発明を説明するが、本発明はこれらの例によって限定されるものではない。なお、各測定および評価は次の方法で行った。
【００３７】
１．含水率
プラスチック成形品を水和処理した後、次式により重合体の含水率（％）を測定した。
【００３８】
含水率（％）＝（Ｗ−ＷＯ）／Ｗ×１００
（たたし、Ｗは水和処理後のプラスチック成形品の重量（ｇ）、ＷＯは乾燥状態でのプラスチック成形品の重量（ｇ）を表す。）。
【００３９】
２．動的接触角
５ｍｍ×１０ｍｍ×０．１ｍｍ程度のプラスチック成形品を使用し、ホウ酸緩衝液（ｐＨ７．１〜７．３）に対する前進時のウィルヘルミー法による動的接触角を測定した。浸漬速度は０．１ｍｍ／ｓｅｃ、浸漬深さは７ｍｍとした。
【００４０】
３．水の静止接触角
窒素ガスによって表面の水をブローして除去した後、協和界面科学株式会社製ＣＡ−Ｄ型接触角計により逆浸透膜処理水を用いて、水の静止接触角を測定した。
【００４１】
４．水濡れ性
プラスチック成形品をホウ酸緩衝液（ｐＨ７．１〜７．３）に浸漬した後に引き上げて表面の外観を目視にて観察し、以下の基準にて評価を行った。
◎：プラスチック成形品の表面が均一に濡れている。
○：プラスチック成形品の表面の面積の半分以上が均一に濡れている。
△：プラスチック成形品の表面の面積の半分以上の濡れが不均一である。
×：プラスチック成形品の表面が殆ど濡れていない。
【００４２】
５．機械的特性
サンプルとして、１５ｍｍ×１０ｍｍ×０．１ｍｍ程度のサイズのプラスチック成形品を使用し、（株）東洋ボールドウィン製のテンシロンＲＴＭ−１００型を用いて、弾性率と破断伸度を測定した。１００ｍｍ／ｍｉｎの速度で引っ張り、つかみ間距離は５ｍｍとした。
６．酸素透過性
サンプルとして、１５ｍｍφのサイズのプラスチック成形品を使用し、（株）理化精機工業製の製科研式フィルム酸素透過率計を用いて３５℃の水中にて酸素透過係数を測定した。尚、サンプルの厚みは必要に応じて複数枚を重ね合わせることによって調整した。
【００４３】
参考例１ 
トリス（トリメチルシロキシ）シリルプロピルメタクリレート（ＴＲＩＳと略す）６０重量部、Ｎ，Ｎ−ジメチルアクリルアミド（ＤＭＡＡと略す）４０重量部、トリエチレングリコールジメタクリレート（３Ｇと略す）１重量部、ジエチレングリコールジメチルエーテル（ジグライムと略す）１０重量部を均一に混合し、重合開始剤として"ダロキュア１１７３"（ＣＩＢＡ社製）０．２重量部を添加した後、このモノマー混合物をアルゴン雰囲気下で脱気した。窒素雰囲気下のグローブボックス中でプラスチック製のモールド間に注入し密封した後、捕虫灯を用いて光照射（照度１ｍＷ／ｃｍ２、３０分間）して、重合を行った。その後、ジエチレングリコールジメチルエーテル中にモールド毎浸漬し、４０℃／３０分間、さらに６０℃／６０分間浸漬し、モールドから被処理用プラスチック成形品を離型した。その後、浸漬液をジエチレングリコールジメチルエーテルからイソプロピルアルコールに置換し、６０℃／１６時間加熱して残存モノマー抽出を行った。その後、イソプロピルアルコールで被処理用プラスチック成形品を２回洗浄した後、まずイソプロピルアルコール／精製水＝５０／５０（重量部）に３０分間浸漬し、次にイソプロピルアルコール／精製水＝２５／７５（重量部）に３０分間浸漬し、さらに精製水に１６時間浸漬静置して、プラスチック成形品からイソプロピルアルコールを完全に除去して被処理用プラスチック成形品を得た。前記被処理用プラスチック成形品を１５ｗｔ％ポリアクリル酸（平均分子量：２５，０００）水溶液（ｐＨ２．３、４０℃）に８時間浸漬した。その後、該プラスチック成形品を精製水で十分洗浄した後、ホウ酸緩衝液（ｐＨ７．１〜７．３）を入れたバイアル瓶に入れ密封した。該バイアル瓶をオートクレーブに入れ、１２０℃／３０分間の煮沸処理を行った。放冷後、プラスチック成形品をバイアル瓶から取り出し、ホウ酸緩衝液（ｐＨ７．１〜７．３）に浸漬した。このプラスチック成形品の含水率、動的接触角、水濡れ性、弾性率、破断伸度、酸素透過係数を測定した。得られた結果を表１に示す。
【００４４】
参考例２ 
参考例１において、ポリアクリル酸水溶液を、２０ｗｔ％ポリアクリル酸（平均分子量：５，０００）水溶液（ｐＨ２．０）に変更する以外は、同様に行った。このプラスチック成形品の含水率、動的接触角、水濡れ性、弾性率、破断伸度を表１に示す。
【００４５】
参考例３ 
参考例１において、ポリアクリル酸水溶液を、１．２ｗｔ％ポリアクリル酸（平均分子量２５０，０００）水溶液（ｐＨ３．１）に変更する以外は、同様に行った。このプラスチック成形品の含水率、動的接触角、水濡れ性、弾性率、破断伸度を表１に示す。
【００４６】
比較例１ 
参考例１において、ポリアクリル酸水溶液処理を施さない以外は同様に行った。このプラスチック成形品の含水率、動的接触角、水濡れ性、弾性率、破断伸度、酸素透過係数を表１に示す。
【００４７】
参考例４ 
参考例１のトリス（トリメチルシロキシ）シリルプロピルメタクリレートを以下に示す（Ｍ１）の化合物（ＳｉＯＥＭＭＡと略す）６８．７５重量部、Ｎ，Ｎ−ジメチルアクリルアミド（ＤＭＡＡと略す）２０．８３重量部、Ｎ，Ｎ−メトキシエチルアクリルアミド（ＭＥＡＡと略す）１０．４２重量部に変更し、ポリアクリル酸水溶液の処理条件を６０℃／２４ｈに変更する以外は、同様に行った。このプラスチック成形品の含水率、動的接触角、水濡れ性、弾性率、破断伸度を表１に示す。
【００４８】
【化１】
0005585537.tif 000002
【００４９】
参考例５ 
参考例４のポリアクリル酸水溶液を３０ｗｔ％ポリエチレンイミン（平均分子量：６００）水溶液（ｐＨ１１．７８）に変更し、処理条件を２３℃／７２時間に変更する以外は、同様に行った。このプラスチック成形品の含水率、動的接触角、水濡れ性を表１に示す。
【００５０】
比較例２ 
参考例５において、ポリエチレンイミン水溶液処理を施さない以外は同様に行った。このプラスチック成形品の含水率、動的接触角、水濡れ性、弾性率、破断伸度を表１に示す。
【００５１】
参考例６ 
参考例１のトリス（トリメチルシロキシ）シリルプロピルメタクリレートを以下に示す（Ｍ２）の化合物（ＳｉＭＡＡ２と略す）７０重量部、Ｎ，Ｎ−ジメチルアクリルアミド（ＤＭＡＡと略す）３０重量部に変更する以外は、同様に行った。このプラスチック成形品の含水率、動的接触角、水濡れ性、弾性率、破断伸度を表１に示す。
【００５２】
【化２】
0005585537.tif 000003
【００５３】
参考例７ 
参考例１のトリス（トリメチルシロキシ）シリルプロピルメタクリレートを以下に示す（Ｍ３）の化合物（ＳｉＭＡＡ３と略す）７０重量部、Ｎ，Ｎ−ジメチルアクリルアミド３０重量部に変更する以外は、同様に行った。このプラスチック成形品の含水率、動的接触角、水濡れ性、弾性率、破断伸度を表１に示す。
【００５４】
【化３】
0005585537.tif 000004
【００５５】
参考例８ 
参考例１のトリス（トリメチルシロキシ）シリルプロピルメタクリレート２１．３３重量部、（Ｍ１）の化合物（ＳｉＯＥＭＭＡと略称）４２．６７重量部、Ｎ，Ｎ−ジメチルアクリルアミド（ＤＭＡＡと略称）３６重量部に変更し、５ｗｔ％ポリアクリル酸（平均分子量１５０，０００）水溶液（ｐＨ２．６）に変更する以外は、同様に行った。このプラスチック成形品の含水率、動的接触角、水濡れ性、弾性率、破断伸度、酸素透過係数を表１に示す。
【００５６】
また本プラスチック成形品のフーリエ変換赤外スペクトルを全反射吸収測定法（ＦＴＩＲ−ＡＴＲ法）により測定した結果を図１に示す。同様に比較例３のプラスチック成形品のＦＴＩＲ−ＡＴＲ法による測定結果ならびに、参考例８の測定結果から比較例３の測定結果を減じた差スペクトルもあわせて図１に示す。 
これから、カルボン酸（水酸基）が増加していること（３０００〜３５００ｃｍ−１バンドの増加、１７２０ｃｍ−１バンドの増加）カルボン酸塩が増加していること（１４０４〜１４４２ｃｍ−１、１５５６ｃｍ−１バンドの増加）、アミドが減少していること（１６４５ｃｍ−１バンドの減少）が分かった。カルボン酸、カルボン酸塩の増加は、ポリアクリル酸がプラスチック成形品の表面に何らかの相互作用のもとに存在していることを示す。一方アミドは親水性成分であるジメチルアクリルアミド由来と考えられるが、このアミド結合は極めて安定であり、ｐＨ２．６程度の水溶液で加水分解することは考えられない。従って、プラスチック成形品基材中のポリジメチルアクリルアミドとポリアクリル酸とがポリマーコンプレックスを形成し、表面にこのコンプレックスの薄い層が形成された結果、ジメチルアクリルアミドのアミド結合の密度が見かけ上減少したために上記の様な差スペクトルが得られたと考えるのが妥当である。
【００５７】
比較例３ 
参考例８において、ポリアクリル酸水溶液処理を施さない以外は同様に行った。このプラスチック成形品の含水率、動的接触角、水濡れ性、弾性率、破断伸度、酸素透過係数を表１に示す。
【００５８】
【表１】
0005585537.tif 000005
【００５９】
参考例９ 
参考例８において、トリス（トリメチルシロキシ）シリルプロピルメタクリレート（ＴＲＩＳ）３１．５重量部、（Ｍ２）の化合物（ＳｉＭＡＡ２と略す）３１．５重量部、Ｎ，Ｎ−ジメチルアクリルアミド（ＤＭＡＡと略す）３７重量部に変更する以外は、同様に行った。このプラスチック成形品の含水率、動的接触角、水濡れ性、弾性率、破断伸度、酸素透過係数を表２に示す。
【００６０】
比較例４ 
参考例９において、ポリアクリル酸水溶液処理を施さない以外は同様に行った。このプラスチック成形品の含水率、動的接触角、水濡れ性、弾性率、破断伸度、酸素透過係数を表２に示す。
【００６１】
参考例１０ 
参考例１において、トリス（トリメチルシロキシ）シリルプロピルメタクリレート（ＴＲＩＳ）３０重量部、トリス（トリメチルシロキシ）シリルプロピルアクリレート（ＴＲＩＳ−Ａと略す）３０重量部、Ｎ，Ｎ−ジメチルアクリルアミド（ＤＭＡＡと略す）４０重量部に変更する以外は、同様に行った。このプラスチック成形品の含水率、動的接触角、水濡れ性、弾性率、破断伸度の測定結果を表２に示す。
【００６２】
参考例１１ 
（Ｍ２）の化合物（ＳｉＭＡＡ２と略す）３０．５重量部、トリス（トリメチルシロキシ）シリルプロピルメタクリレート（ＴＲＩＳと略す）３０．５重量部、Ｎ，Ｎ−ジメチルアクリルアミド（ＤＭＡＡと略す）３９重量部、トリエチレングリコールジメタクリレート（３Ｇと略す）１重量部、ジエチレングリコールジメチルエーテル（ジグライムと略す）１０重量部を均一に混合し、重合開始剤として"ダロキュア１１７３"（ＣＩＢＡ社製）０．２重量部を添加した後、参考例１と同様にして、被処理用プラスチック成形品を得た。
【００６３】
一方、分子量１６０，０００〜１７０，０００のイソブチレンー無水マレイン酸共重合体（（株）クラレ製"イソバン"１０）０．５ｇを０．０６５ＮのＮａＯＨ溶液５０ｍｌに分散させ、９０℃で透明になるまで攪拌を続けた。その後、１ＮのＨＣｌを３ｍｌ添加しｐＨを２．８２に調整して重合体水溶液とした。
【００６４】
上記被処理用プラスチック成形品を４０℃の重合体水溶液に５時間浸漬した。その後、該プラスチック成形品を精製水で十分洗浄した後、ホウ酸緩衝液（ｐＨ７．１〜７．３）を入れたバイアル瓶に入れ密封した。該バイアル瓶をオートクレーブに入れ、１２０℃／３０分間の煮沸処理を行った。放冷後、プラスチック成形品をバイアル瓶から取り出し、ホウ酸緩衝液（ｐＨ７．１〜７．３）に浸漬した。このプラスチック成形品の含水率、動的接触角、水濡れ性、酸素透過係数を測定した。得られた結果を表２に示す。
【００６５】
参考例１２ 
分子量２１６、０００のメチルビニルエーテル−無水マレイン酸共重合体（International Specialty Products社製"Gantrez"AN-119）を精製中に分散させ、８５〜９０℃にて攪拌することにより、１０重量％の透明な水溶液を得た。
【００６６】
イソブチレン−無水マレイン酸共重合体水溶液の代わりに、このメチルビニルエーテル−無水マレイン酸共重合体の水溶液を用いた以外は参考例１１と同様にして得られたプラスチック成形品の含水率、動的接触角、水濡れ性、酸素透過係数を測定した結果を表２に示す。
【００６７】
比較例５ 
参考例１１において、イソブチレン−無水マレイン酸共重合体水溶液処理を施さない以外は同様に行った。このプラスチック成形品の含水率、動的接触角、水濡れ性、酸素透過係数の測定結果を表２に示す。
【００６８】
参考例１３ 
参考例９において、トリス（トリメチルシロキシ）シリルプロピルメタクリレート（ＴＲＩＳ）３０重量部、（Ｍ２）の化合物（ＳｉＭＡＡ２と略す）３０重量部、２−ヒドロキシエチルメタクリレート（ＨＥＭＡと略す）４０重量部に変更する以外は、同様に行った。このプラスチック成形品の含水率、動的接触角、水濡れ性、弾性率、破断伸度を表２に示す。
【００６９】
比較例６ 
参考例１３において、ポリアクリル酸水溶液処理を施さない以外は同様に行った。このプラスチック成形品の含水率、動的接触角、水濡れ性を表２に示す。
【００７０】
参考例１４ 
２−ヒドロキシエチルメタクリレート（ＨＥＭＡと略す）１００重量部、トリエチレングリコールジメタクリレート（３Ｇと略す）１重量部、ダロキュア１１７３（ＣＩＢＡ社製）０．２重量部を均一に混合し、参考例１と同様に捕虫灯を用いて光重合を行った。精製水中にてモールドから剥離した後、精製水中、オートクレーブを用いて１２０℃３０分間煮沸し、ヒドロゲルを得た。このヒドロゲルを、分子量１５０，０００のポリアクリル酸の５ｗｔ％水溶液（４０℃）に、８時間浸漬した。その後、該ヒドロゲルを精製水で十分洗浄した後、ホウ酸緩衝液（ｐＨ７．１〜７．３）を入れたバイアル瓶に入れ密封した。該バイアル瓶をオートクレーブに入れ、１２０℃／３０分間の煮沸処理を行った。放冷後、プラスチック成形品をバイアル瓶から取り出し、ホウ酸緩衝液（ｐＨ７．１〜７．３）に浸漬、含水率、動的接触角、水濡れ性を測定した結果を表２に示す。
【００７１】
比較例７ 
参考例１４において、ポリアクリル酸水溶液処理を施さない以外は同様に行った。このプラスチック成形品の含水率、動的接触角、水濡れ性を表２に示す。
【００７２】
【表２】
0005585537.tif 000006
【００７３】
参考例１５ 
攪拌装置、温度計、還流冷却管、窒素ガス導入口を備えた四ツ口フラスコ中に２−ヒドロキシエチルメタクリレート５２部、２，６−ジイソシアナートカプロン酸−β−イソシアナートエチルエステル５３．４部、ジ−ｎ−ブチルスズジラウレート０．０１部を仕込み、赤外線吸収スペクトルで水酸基の吸収が消失するまで、５０℃、窒素雰囲気下で攪拌する。次に（Ｍ４）の化合物（平均分子量３，０００）３００部を上記四ツ口フラスコ中に添加し、赤外線吸収スペクトルのイソシアナート基の吸収が消失するまで、５０℃、窒素雰囲気下で攪拌し、両末端に各２個の２重結合を有するシロキサンマクロマー（４官能マクロマーと略す）を得た。
【００７４】
【化４】
0005585537.tif 000007
【００７５】
参考例８において、この４官能マクロマー３０重量部、トリス（トリメチルシロキシ）シリルプロピルメタクリレート（ＴＲＩＳと略す）３８重量部、Ｎ，Ｎ−ジメチルアクリルアミド（ＤＭＡＡと略す）３２重量部に変更する以外は、同様に行った。このプラスチック成形品の含水率、動的接触角、水濡れ性、弾性率、破断伸度、酸素透過係数の測定結果を表３に示す。
【００７６】
比較例８ 
参考例１５において、ポリアクリル酸水溶液処理を施さない以外は同様に行った。このプラスチック成形品の含水率、動的接触角、水濡れ性、弾性率、破断伸度、酸素透過係数の測定結果を表３に示す。
【００７７】
参考例１６ 
（Ｍ２）で表される化合物（ＳｉＭＡＡ２と略す）３３重量部、（Ｍ５）で表わされる片末端二重結合タイプのマクロマー（分子量約１０００、片末端マクロマーと略す）３３重量部、Ｎ，Ｎ−ジメチルアクリルアミド（ＤＭＡＡと略す）３４重量部、（Ｍ６）で表わされるマクロマー（分子量約１９００、両末端マクロマーと略す）５重量部、エチレングリコールジアセテート（ＥＧＤＡと略す）１０重量部を均一に混合し、重合開始剤として"ダロキュア１１７３"（ＣＩＢＡ社製）０．２重量部を添加した後、参考例１と同様にして、被処理用プラスチック成形品を得た。
【００７８】
【化５】
0005585537.tif 000008
【００７９】
【化６】
0005585537.tif 000009
【００８０】
一方、分子量約２，０００，０００のメチルビニルエーテル−無水マレイン酸共重合体（International Specialty Products社製"Gantrez"AN-169）を精製中に分散させ、８５〜９０℃にて攪拌することにより、５重量％の透明な水溶液を得た。
【００８１】
この重合体水溶液（４０℃）に上記被処理用プラスチック成形品を３時間浸漬した。その後、該プラスチック成形品を精製水で十分洗浄した後、ホウ酸緩衝液（ｐＨ７．１〜７．３）を入れたバイアル瓶に入れ密封した。該バイアル瓶をオートクレーブに入れ、１２０℃／３０分間の煮沸処理を行った。放冷後、プラスチック成形品をバイアル瓶から取り出し、ホウ酸緩衝液（ｐＨ７．１〜７．３）に浸漬した。このプラスチック成形品の含水率、動的接触角、水濡れ性、弾性率、破断伸度を測定した。得られた結果を表３に示す。
【００８２】
比較例９ 
参考例１６において、メチルビニルエーテル−無水マレイン酸共重合体水溶液処理を施さない以外は同様に行った。このプラスチック成形品の含水率、動的接触角、水濡れ性、弾性率、破断伸度の測定結果を表３に示す。
【００８３】
【表３】
0005585537.tif 000010
【００８４】
実施例１
参考例９で得られたポリアクリル酸処理プラスチック成形品を、分子量約１，０００，０００のポリアクリルアミドの０．０５％水溶液（４０℃）に８時間浸漬した。その後、該プラスチック成形品を精製水で十分洗浄した後、ホウ酸緩衝液（ｐＨ７．１〜７．３）を入れたバイアル瓶に入れ密封した。該バイアル瓶をオートクレーブに入れ、１２０℃／３０分間の煮沸処理を行った。放冷後、プラスチック成形品をバイアル瓶から取り出し、ホウ酸緩衝液（ｐＨ７．１〜７．３）に浸漬した。このプラスチック成形品の含水率は３２．８％、動的接触角は３４°、弾性率は１０５psi、破断伸度は７５０％であり、ポリアクリル酸処理のみの場合の値、含水率３１％、前進接触角２８°、弾性率９１psi、破断伸度５６１％に比べ、表面の性質が変化していた。
【００８５】
この点を確認する為に卵白リゾチームの吸着実験を行った。まず卵白リゾチーム０．５ｇをホウ酸緩衝液１００ｍｌに溶解して人工汚れ液とした。この汚れ液１ｍｌにサンプル１枚を浸漬し、３５℃にて２０時間静置した。浸漬処理後取り出したサンプルをホウ酸緩衝液に５時間静置したのち、サンプルを引き上げて軽く水分をふき取った。吸着したリゾチーム量は、ビシンコニン酸プロテインアッセイ法によりPIERCE社製Micro  BCA  Protein  Assay Reagent  Kitを使用し、５６２ｎｍの吸光度を測定することによって求めた。その結果ポリアクリル酸処理のみの成形品への吸着量は３３μｇ／ｃｍ2であったが、さらにポリアクリルアミド水溶液に浸漬した成形品への吸着量は１５０μｇ／ｃｍ2と有意に変化していることが分かった。
【００８６】
比較例１２
メチルメタクリレート（ＭＭＡと略す）９９重量部、トリエチレングリコールジメタクリレート（３Ｇと略す）１重量部を均一に混合し、重合開始剤として２，２'ーアゾビスー（２，４ージメチルバレロニトリル）（ＡＤＶＮと略す）０．１重量部を添加した後、このモノマ混合物をアルゴン雰囲気下で脱気し、ガラス板間に注入し、密封した。まず４０℃で１０時間重合させ、続いて４０℃から９０℃まで２４時間かけて昇温させた後、１００℃で４時間保持し被処理用プラスチック成形体を得た。前記被処理用プラスチック成形品を５ｗｔ％ポリアクリル酸（平均分子量：１５０，０００）水溶液（ｐＨ２．６、６０℃）に２４時間浸漬させた。その後、該プラスチック成形品を精製水で十分洗浄した。このプラスチック成形品の含水率、水の静止接触角、水濡れ性の測定結果を表４に示す。
【００８７】
比較例１０
比較例１２において、ポリアクリル酸水溶液処理を施さない以外は同様に行った。このプラスチック成形品の含水率、水の静止接触角、水濡れ性の測定結果を表４に示す。
【００８８】
参考例１７
参考例１５で得られた４官能マクロマー３９重量部、トリフルオロエチルメタクリレート（３ＦＭと略す）４９．４重量部、メチルメタクリレート（ＭＭＡと略す）４．１重量部、トリメチロールプロパントリメタクリレート（ＴＭＰＴと略す）４．５重量部、メタクリル酸（ＭＡＡと略す）３重量部、アゾビスイソブチロニトリル（ＡＩＢＮと略す）０．０２重量部、アゾビスシクロヘキサンカルボニトリル（ＡＣＨＣＮと略す）０．０８重量部を混合、溶解してモノマー混合物を得た。混合液を試験管に入れ、このモノマー混合物をアルゴン雰囲気下で脱気した後密栓し、まず恒温水槽中で４０℃／４０時間、５０℃／２４時間、６０℃／１６時間、７０℃／４時間、９０℃／２時間、さらに熱風循環式乾燥器中で１３０℃／３時間加熱を行い、棒状のプラスチック成形体を得た。このプラスチック成形体をダイヤモンドカッターで円形に切削し、さらに表面を研磨して被処理用プラスチック成形体を得た。被処理用プラスチック成形品を５ｗｔ％ポリアクリル酸（平均分子量：２５，０００）水溶液（ｐＨ２．６、６０℃）に８時間浸漬させた。その後、該プラスチック成形品を精製水で十分洗浄した後、バイアル瓶中のホウ酸緩衝液（ｐＨ７．１〜７．３）に浸漬し、バイアル瓶を密封した。該バイアル瓶をオートクレーブに入れ、１２０℃／３０分間の煮沸処理を行った。放冷後、プラスチック成形品をバイアル瓶から取り出し、ホウ酸緩衝液（ｐＨ７．１〜７．３）に浸漬した。このプラスチック成形品の含水率、水の静止接触角、水濡れ性の測定結果を表４に示す。
【００８９】
比較例１１ 
参考例１７において、ポリアクリル酸水溶液処理を施さない以外は同様に行った。このプラスチック成形品の含水率、水の静止接触角、水濡れ性の測定結果を表４に示す。
【００９０】
【表４】
0005585537.tif 000011
【図１】
0005585537.tif 000012